(57)【要約】【課題】オートクリア実行前の設定内容に戻さないようにすること。【解決手段】ユーザがジョブの動作設定を行った後（ステップＳ１１；ＹＥＳ）、入力操作部に所定時間入力がなかった場合（ステップＳ１２；ＹＥＳ）、オートクリア実行部はユーザが設定した動作設定の内容をユーザ設定記憶部に記憶させて、標準設定に戻す（ステップＳ１３）。そして、表示制御部はユーザ設定を削除するか又はオートクリア前の設定に戻すかの選択画面を表示部に表示させる（ステップＳ１４）。ユーザがユーザ設定の削除を指示する実行キーを押下すると（ステップＳ１５；ＹＥＳ）、ユーザ設定削除部はユーザ設定記憶部に記憶されているユーザ設定を削除する（ステップＳ１６）。【選択図】図５
2011109388.tif 000002
【特許請求の範囲】
【請求項１】
ジョブの実行に関する動作設定の入力を受け付ける動作設定受付手段と、
前記動作設定受付手段が受け付けた動作設定を記憶するユーザ設定記憶手段と、
前記動作設定受付手段に入力のない状態が予め定められた時間続いた場合、前記ジョブの動作設定を標準設定に戻すオートクリアを実行するオートクリア手段と、
前記オートクリア手段が前記オートクリアを実行した後に、前記ジョブの動作設定をオートクリア実行前の動作設定に戻す指示入力を受け付けるオートクリア解除受付手段と、
予め定められた操作がなされた場合、前記ユーザ設定記憶手段が記憶する動作設定を削除する削除手段と、
を備えた画像読取装置。
【請求項２】
前記ユーザ設定記憶手段が記憶する動作設定の削除指示の入力を受け付ける削除指示受付手段と、
を更に備え、前記予め定められた操作とは、前記削除指示受付手段が前記削除指示の入力を受け付ける操作のことである請求項１に記載の画像読取装置。
【請求項３】
表示部の表示制御を行う表示制御手段を更に備え、前記表示制御手段は、前記オートクリア手段による前記オートクリア実行後に前記削除指示受付手段を前記表示部に表示させるものである請求項２に記載の画像読取装置。
【請求項４】
表示部の表示制御を行う表示制御手段と、
前記動作設定受付手段が受け付けた動作設定に従って前記ジョブを実行する実行手段と、
を更に備え、前記表示制御手段は、前記実行手段が前記ジョブを実行した後であって、前記オートクリア手段による前記オートクリア実行前に前記削除指示受付手段を前記表示部に表示させるものである請求項２に記載の画像読取装置。
【請求項５】
前記画像読取装置の各種設定を行う初期設定操作として、前記ユーザ設定記憶手段に記憶された前記動作設定の内容を削除するか否かの選択入力を受け付ける削除可否受付手段を更に備え、
前記予め定められた操作とは、前記削除可否受付手段が前記ユーザ設定記憶手段に記憶された前記動作設定を削除する選択入力を受け付ける操作のことである請求項１に記載の画像読取装置。
【請求項６】
前記削除可否受付手段は、前記ユーザ設定記憶手段に記憶された前記動作設定の項目毎に削除可否の選択入力を受け付けるものであり、前記削除手段は、前記ユーザ設定記憶手段に記憶された前記動作設定のうち、前記削除可否受付手段が受け付けた削除すべき項目について削除するものである請求項５に記載の画像読取装置。
【請求項７】
請求項１〜６の何れか一項に記載の画像読取装置と
前記画像読取装置が取得した画像データに基づいて用紙に画像を形成する画像形成手段と、
を備えた画像形成装置。
【発明の詳細な説明】
【技術分野】
【０００１】
本発明は、装置の動作設定を所定の標準設定にリセットするオートクリア機能を有する画像読取装置及び画像形成装置に関するものである。
【背景技術】
【０００２】
近年、コピー機能、ファクシミリ機能、プリンタ機能、スキャナ機能等の複数の機能を兼ね備えた複合機が広く普及している。このような複合機では、ユーザは、用紙のサイズや向き、コピー部数、倍率、濃度等の各種項目を装置の初期状態として標準設定しておくことができる。そして、ユーザが標準設定と異なる設定で動作させたい場合には、ユーザが所望の設定（以下、「ユーザ設定」という）に変更操作を行うことによって動作設定を変更することができる。
【０００３】
このようにユーザが動作設定を任意に設定できる装置の場合、オートクリア機能が備わっていることが多い。オートクリア機能とは、例えばユーザ設定に基づいたジョブの実行終了から一定時間が経過するまでに操作がなければ、ユーザ設定を自動的に解除し、装置の設定を標準設定に戻す機能のことである。これにより、あるユーザによるユーザ設定がされたまま他のユーザが使用して、意図しない結果を得るのを避けることができる。
【０００４】
ところが、ユーザの意図に反してオートクリア機能が勝手に働いてしまう場合があった。例えばユーザが設定に手間取っている間に一定時間が経過した場合や、ユーザ設定中に緊急の用事が発生し、装置の前から離れなければならなくなった場合には、ユーザ設定が完了しないうちにオートクリアが実行されてしまっていた。このような場合に備えて、特許文献１及び２には、オートクリア時の設定内容を記憶しておき、オートクリアが実行された後であってもオートクリア実行前の動作設定に戻すことができる画像形成装置が記載されている。
【先行技術文献】
【特許文献】
【０００５】
【特許文献１】特開２００８−１６４６８２号公報
【特許文献２】特開２００８−１９１５３８号公報
【発明の概要】
【発明が解決しようとする課題】
【０００６】
このように、オートクリア実行前の動作設定に戻す機能がある場合、あるユーザが設定した内容に他のユーザが戻すことができる。しかし、ユーザ設定の内容を他人に知られたくないユーザもおり、問題となっていた。
【０００７】
本発明は、上記の問題を解決するためになされたもので、オートクリア実行前の設定内容に戻せない画像読取装置及び画像形成装置を提供することを目的とするものである。
【課題を解決するための手段】
【０００８】
請求項１に記載の発明の画像読取装置は、ジョブの実行に関する動作設定の入力を受け付ける動作設定受付手段と、前記動作設定受付手段が受け付けた動作設定を記憶するユーザ設定記憶手段と、前記動作設定受付手段に入力のない状態が予め定められた時間続いた場合、前記ジョブの動作設定を標準設定に戻すオートクリアを実行するオートクリア手段と、前記オートクリア手段が前記オートクリアを実行した後に、前記ジョブの動作設定をオートクリア実行前の動作設定に戻す指示入力を受け付けるオートクリア解除受付手段と、予め定められた操作がなされた場合、前記ユーザ設定記憶手段が記憶する動作設定を削除する削除手段と、を備えたものである。
【０００９】
この構成によれば、予め定められた操作がなされた場合、削除手段がユーザ設定記憶手段の内容を削除するため、別のユーザがオートクリア解除受付手段を用いてオートクリア実行前の動作設定に戻す操作を行っても、オートクリア実行前の動作設定に戻ることがない。つまり、自分が行った動作設定を他人に知られることがなく、プライバシーを守ることができる。
【００１０】
請求項２に記載の発明は、請求項１に記載の画像読取装置であって、前記ユーザ設定記憶手段が記憶する動作設定の削除指示の入力を受け付ける削除指示受付手段と、を更に備え、前記予め定められた操作とは、前記削除指示受付手段が前記削除指示の入力を受け付ける操作のことである。
【００１１】
この構成によれば、削除指示受付手段がユーザ設定記憶手段の内容の削除指示を受け付けた場合、削除手段がユーザ設定記憶手段の内容を削除するため、別のユーザがオートクリア解除受付手段を用いてオートクリア実行前の動作設定に戻す操作を行っても、オートクリア実行前の動作設定に戻ることがない。つまり、自分が行った動作設定を他人に知られることがなく、プライバシーを守ることができる。
【００１２】
請求項３に記載の発明は、請求項２に記載の画像読取装置であって、表示部の表示制御を行う表示制御手段を更に備え、前記表示制御手段は、前記オートクリア手段による前記オートクリア実行後に前記削除指示受付手段を前記表示部に表示させるものである。
【００１３】
この構成によれば、オートクリア実行後に表示部に表示される削除指示受付手段を介してユーザがユーザ設定記憶手段の内容の削除指示を入力した場合、削除手段がユーザ設定記憶手段の内容を削除するため、別のユーザがオートクリア解除受付手段を用いてオートクリア実行前の動作設定に戻す操作を行っても、オートクリア実行前の動作設定に戻ることがない。つまり、自分が行った動作設定を他人に知られることがなく、プライバシーを守ることができる。
【００１４】
請求項４に記載の発明は、請求項２に記載の画像読取装置であって、表示部の表示制御を行う表示制御手段と、前記動作設定受付手段が受け付けた動作設定に従って前記ジョブを実行する実行手段と、を更に備え、前記表示制御手段は、前記実行手段が前記ジョブを実行した後であって、前記オートクリア手段による前記オートクリア実行前に前記削除指示受付手段を前記表示部に表示させるものである。
【００１５】
この構成によれば、ジョブ実行後であってオートクリア実行前に表示部に表示される削除指示受付手段を介してユーザがユーザ設定記憶手段の内容の削除指示を入力した場合、削除手段がユーザ設定記憶手段の内容を削除するため、別のユーザがオートクリア解除受付手段を用いてオートクリア実行前の動作設定に戻す操作を行っても、オートクリア実行前の動作設定に戻ることがない。つまり、自分が行った動作設定を他人に知られることがなく、プライバシーを守ることができる。
【００１６】
請求項５に記載の発明は、請求項１に記載の画像読取装置であって、前記画像読取装置の各種設定を行う初期設定操作として、前記ユーザ設定記憶手段に記憶された前記動作設定の内容を削除するか否かの選択入力を受け付ける削除可否受付手段を更に備え、前記予め定められた操作とは、前記削除可否受付手段が前記ユーザ設定記憶手段に記憶された前記動作設定を削除する選択入力を受け付ける操作のことである。
【００１７】
この構成によれば、画像読取装置の初期設定の段階において、削除可否受付手段がユーザ設定記憶手段に記憶された動作設定の内容を削除する選択入力を受け付けることにより、削除手段がユーザ設定記憶手段の内容を削除するため、別のユーザがオートクリア解除受付手段を用いてオートクリア実行前の動作設定に戻す操作を行っても、オートクリア実行前の動作設定に戻ることがない。つまり、自分が行った動作設定を他人に知られることがなく、プライバシーを守ることができる。
【００１８】
請求項６に記載の発明は、請求項５に記載の画像読取装置であって、前記削除可否受付手段は、前記ユーザ設定記憶手段に記憶された前記動作設定の項目毎に削除可否の選択入力を受け付けるものであり、前記削除手段は、前記ユーザ設定記憶手段に記憶された前記動作設定のうち、前記削除可否受付手段が受け付けた削除すべき項目について削除するものである。
【００１９】
この構成によれば、画像読取装置の初期設定の段階において、削除可否受付手段がユーザ設定記憶手段に記憶された動作設定の内容を項目別に削除する選択入力を受け付けることにより、削除手段がユーザ設定記憶手段の内容を項目別に削除するため、別のユーザがオートクリア解除受付手段を用いてオートクリア実行前の動作設定に戻す操作を行っても、削除設定がなされた項目についてはオートクリア実行前の動作設定に戻ることがない。つまり、自分が行った動作設定を他人に知られることがなく、プライバシーを守ることができる。
【００２０】
請求項７に記載の発明の画像形成装置は、請求項１〜６の何れか一項に記載の画像読取装置と前記画像読取装置が取得した画像データに基づいて用紙に画像を形成する画像形成手段と、を備えたものである。
【００２１】
この構成によれば、請求項１〜６に記載の効果を奏する。
【発明の効果】
【００２２】
この発明によれば、予め定められた操作がなされた場合、削除手段がユーザ設定記憶手段の内容を削除するため、別のユーザがオートクリア解除受付手段を用いてオートクリア実行前の動作設定に戻す操作を行っても、オートクリア実行前の動作設定に戻ることがない。つまり、自分が行った動作設定を他人に知られることがなく、プライバシーを守ることができる。
【図面の簡単な説明】
【００２３】
【図１】画像形成装置の内部構成を概略的に示す側面図。
【図２】画像形成装置の電気的構成を示すブロック図。
【図３】入力操作部の正面図。
【図４】コピー設定画面の一例を示した図。
【図５】第１の実施の形態におけるユーザ設定削除処理の流れを示したフローチャート。
【図６】第１の実施の形態における選択画面の一例を示した図。
【図７】第２の実施の形態におけるユーザ設定削除処理の流れを示したフローチャート。
【図８】第２の実施の形態における選択画面の一例を示した図。
【図９】第３の実施の形態における初期設定画面の一例を示した図。
【図１０】第４の実施の形態における初期設定画面の一例を示した図。
【発明を実施するための形態】
【００２４】
以下、本発明に係る画像形成装置の実施の形態を図面に基づいて説明する。
【００２５】
〔第１の実施の形態〕
図１は、本発明の一実施形態に係る画像形成装置１の内部構成を概略的に示す側面図である。画像形成装置１は、スキャナ機能、コピー機能、プリンタ機能及びデータ送信機能等の機能を兼ね備えたものとして説明するが、本発明における画像読取装置を含んだ装置であればよい。画像形成装置１は、本体部２と、本体部２の左方に配設されたスタックトレイ３と、本体部２の上部に配設された原稿読取部４と、原稿読取部４の上方に配設された原稿搬送部５とを有している。
【００２６】
画像形成装置１のフロント部には、入力操作部６が設けられている。この入力操作部６には、ユーザが印刷実行指示を入力するためのスタートキー７と、印刷部数等を入力するためのテンキー８と、各種複写動作の操作ガイド情報等を表示し、これら各種設定入力用にタッチパネル機能を有する液晶ディスプレイ等からなる表示部９と、表示部９で設定された設定内容等をリセットするリセットキー１０と、オートクリアを解除するためのオートクリア解除キー１１と、コピー機能、プリンタ機能、スキャナ機能及びデータ送信機能を切り換えるための機能切換キー１２とが備えられている。
【００２７】
また、表示部９には、画像形成装置１が各機能のジョブを実行する際の動作設定を設定するための設定画面が表示され、ユーザはこの設定画面を見ながらタッチパネル機能を利用して動作設定を設定することができる。
【００２８】
原稿読取部４は、ＣＣＤ(Charge Coupled Device)センサ及び露光ランプ等からなるスキャナ部１３と、ガラス等の透明部材により構成された原稿台１４及び原稿読取スリット１５とを備える。スキャナ部１３は、図略の駆動部によって移動可能に構成され、原稿台１４に載置された原稿を読み取るときは、原稿台１４に対向する位置で原稿面に沿って移動され、原稿画像を走査しつつ取得した画像データを後述する制御部へ出力する。また、原稿搬送部５により給送された原稿を読み取るときは、原稿読取スリット１５と対向する位置に移動され、原稿読取スリット１５を介して原稿搬送部５による原稿の搬送動作と同期して原稿の画像を取得し、その画像データを制御部へ出力する。
【００２９】
原稿搬送部５は、原稿を載置するための原稿載置部１６と、画像読み取り済みの原稿を排出するための原稿排出部１７と、原稿載置部１６に載置された原稿を１枚ずつ繰り出して原稿読取スリット１５に対向する位置へ搬送し、原稿排出部１７へ排出するための給紙ローラや搬送ローラ（図示せず）等からなる原稿搬送機構１８を備える。
【００３０】
また、原稿搬送部５は、その前面側が上方に移動可能となるように本体部２に対して回動自在に設けられている。原稿搬送部５の前面側を上方に移動させて原稿台１４上面を開放することにより、原稿台１４の上面に読み取り原稿、例えば見開き状態にされた書籍等を操作者が載置できるようになっている。
【００３１】
本体部２は、複数の給紙カセット１９と、給紙カセット１９から用紙を１枚ずつ繰り出して画像形成部２１へ搬送する給紙ローラ２０と、給紙カセット１９から搬送されてきた用紙に画像を形成する画像形成部２１とを備える。
【００３２】
画像形成部２１は、スキャナ部１３で取得された画像データに基づきレーザ光等を出力して感光体ドラム２２を露光し、感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５と、トナー像が転写された用紙を加熱してトナー像を用紙に定着させる定着ローラ２６及び加圧ローラ２７を備えた定着装置２８と、画像形成部２１内の用紙搬送路中に設けられ、用紙をスタックトレイ３又は排出トレイ２９まで搬送する搬送ローラ対３０及び３１等を備える。
【００３３】
また、用紙の両面に画像を形成する場合は、画像形成部２１で用紙の一方の面に画像を形成した後、この用紙を排出トレイ２９側の搬送ローラ対３０にニップされた状態とする。この状態で搬送ローラ対３０を反転させて用紙をスイッチバックさせ、用紙を用紙搬送路３２に送って画像形成部２１の上流域に再度搬送し、画像形成部２１により他方の面に画像を形成した後、用紙をスタックトレイ３又は排出トレイ２９に排出する。
【００３４】
図２は、画像形成装置１の電気的構成を示すブロック図である。画像形成装置１は、制御部７１、記憶部７２、原稿搬送部５、スキャナ部１３、画像メモリ７３、画像処理部７４、画像形成部２１、入力操作部６及びネットワークＩ／Ｆ部７５を備えて構成されている。尚、図１を用いて説明した構成要素と同じものには同符号を付して、説明を省略する。
【００３５】
制御部７１は、ＣＰＵ（Central Processing Unit：中央処理装置）等によって構成され、記憶部７２に記憶されたプログラムを読み出して処理を実行し、各機能部への指示信号の出力、データ転送等を行って画像形成装置１を統括的に制御するものであり、表示制御部７１１、オートクリア実行部７１２及びユーザ設定削除部７１３を有する。
【００３６】
表示制御部７１１は、表示部９に対して設定画面やユーザに対するメッセージ等の表示を行わせるための制御を行う。オートクリア実行部７１２は、入力操作部６に入力がない状態が所定時間続いた場合、入力操作部６を介して設定されたユーザ設定を解除して標準設定に戻す制御を行う。
【００３７】
ユーザ設定削除部７１３は、予め定められた操作がなされたとき、ユーザ設定記憶部７２１に記憶されたユーザ設定を削除する。この「予め定められた操作」については、本実施の形態を含む複数の実施の形態において順次説明していく。
【００３８】
記憶部７２は、画像形成装置１の備える種々の機能を実現するためのプログラムやデータ等を記憶するものであり、ユーザ設定記憶部７２１を有する。ユーザ設定記憶部７２１は、ユーザが入力操作部６を介して設定したスキャン、コピー、プリンタ、データ送信等のジョブの動作設定（ユーザ設定）を記憶する。
【００３９】
画像メモリ７３は、スキャナ部１３が取得した画像データやネットワークＩ／Ｆ部７５を介して外部装置から送信された画像データを一時的に記憶する。画像処理部７４は、画像メモリ７３に記憶されている画像データに対して画像補正や拡大・縮小等の画像処理を施す。
【００４０】
ネットワークＩ／Ｆ部７５は、ＬＡＮ（Local Area Network）やＷＡＮ（Wide Area Network）等のネットワークを介して、これらネットワークに接続されたパソコン等の端末装置との間で通信を行う通信インターフェイス回路である。
【００４１】
図３は、入力操作部６の正面図である。この入力操作部６は、スタートキー７、テンキー８、表示部９、タッチパネル９９、リセットキー１０、オートクリア解除キー１１及び機能切換キー１２が備えられている。表示部９は、ＬＣＤ（Liquid Crystal Display）やＥＬＤ（Electronic Luminescent Display）等によって構成され、紙サイズ選択、倍率選択、濃度選択等の選択画面が表示される。この表示部９はタッチパネル９９と一体的に形成されている。タッチパネル９９は、ユーザによるタッチ操作がなされたら、タッチ位置を検出して検出信号を制御部７１へ出力する。
【００４２】
図４は、コピー機能が選択されているときに表示部９に表示されるコピー設定画面５１の一例を示した図である。ユーザはこの画面５１を見ながら、タッチパネル９９やテンキー８を介してコピー部数や用紙サイズ、濃度等を設定することにより、所望の動作設定に変更することができる。そして、ユーザがリセットキー１０を押下すると、制御部７１はユーザ設定を解除してジョブの動作設定を標準設定に戻す。
【００４３】
しかし、ユーザによってリセットキー１０が押下されず、ユーザ設定が解除されない場合でも、入力操作部６に所定時間入力がなければ、オートクリア実行部７１２がユーザ設定を解除し、ジョブの動作設定を標準設定に戻す。これにより、ユーザ設定がされたまま他のユーザが使用して、意図しない結果を得るのを避けることができる。
【００４４】
ところが、ユーザの意図に反してオートクリア機能が勝手に働いてしまう場合があった。例えばユーザが設定に手間取っている間に一定時間が経過した場合や、ユーザ設定中に緊急の用事が発生し、ユーザが装置の前から離れなければならなくなった場合には、ユーザ設定が完了しないうちにオートクリアが実行されてしまっていた。このような場合に備えて、本実施の形態の画像形成装置１においては、ユーザ設定記憶部７２１がオートクリア時の設定内容を記憶しておき、ユーザがオートクリア解除キー１１を押下することにより、制御部７１がユーザ設定記憶部７２１に記憶された設定内容を読み出すことにより、オートクリアが実行された後であってもオートクリア実行前の動作設定（ユーザ設定）に戻すことができる。
【００４５】
しかし、ユーザ設定の内容を他人に知られたくないユーザもおり、このオートクリア実行前の動作設定に戻すことができる機能が問題となっていた。そこで、ユーザが所定の操作を行うことによって、ユーザ設定削除部７１３がユーザ設定記憶部７２１に記憶されたユーザ設定を削除することにより、オートクリア解除キー１１が押下されてもオートクリア実行前の設定に戻らないようにする方法について説明する。
【００４６】
図５は、本実施の形態におけるユーザ設定削除処理の流れを示したフローチャートである。ユーザが入力操作部６を介してジョブの動作設定を行った後（ステップＳ１１；ＹＥＳ）、入力操作部６に所定時間入力がなかった場合（ステップＳ１２；ＹＥＳ）、オートクリア実行部７１２はユーザ設定の内容をユーザ設定記憶部７２１に記憶させて、標準設定に戻す（ステップＳ１３）。
【００４７】
そして、表示制御部７１１はオートクリア前の設定に戻すか、又はオートクリア前の設定に戻せないようにするかの選択画面を表示部９に表示させる（ステップＳ１４）。図６は、ステップＳ１４において表示部９に表示される選択画面５２の一例を示した図である。選択画面５２は、オートクリア実行後に表示されるものであり、ユーザはオートクリア前の設定を削除したいときは実行キー６１、オートクリア前の設定内容に戻したいときは実行キー６２を押下する。
【００４８】
ユーザが実行キー６１を押下すると（ステップＳ１５；ＹＥＳ）、ユーザ設定削除部７１３はユーザ設定記憶部７２１に記憶されているユーザ設定を削除する（ステップＳ１６）。この処理により、ユーザ設定記憶部７２１はユーザ設定を記憶していないことになるから、他のユーザがオートクリア解除キー１１を押下してもオートクリア実行前の設定に戻ることがない。一方、実行キー６２を押下すると（ステップＳ１５；ＮＯ、ステップＳ１７；ＹＥＳ）、制御部７１はユーザ設定記憶部７２１に記憶された設定に動作設定を変更する（ステップＳ１８）。
【００４９】
以上、説明したように、オートクリア実行後に表示される選択画面５２において、オートクリア実行前の設定を削除する指示入力をすることで、ユーザ設定削除部７１３がユーザ設定記憶部７２１の内容を削除するため、別のユーザがオートクリア解除キー１１を押下してもオートクリア実行前の設定に戻ることがない。従って、自分が行った動作設定を他人に知られることがなく、プライバシーを守ることができる。
【００５０】
尚、本実施の形態では、表示制御部７１１はオートクリア実行後に選択画面５２を表示部９に表示させることとしたが、オートクリア実行前に選択画面５２を表示させるようにしてもよい。この場合、表示制御部７１１は、選択画面５２に、オートクリア実行前の設定を削除する実行キー６１、オートクリア実行前の設定に戻す実行キー６２に追加して、オートクリア機能を実行する実行キーを表示させる。そして、ユーザがオートクリア機能を実行する実行キーを選択すると、オートクリア実行部７１２がオートクリアを実行する。
【００５１】
また、本実施の形態では、オートクリア解除キー１１をハードキーとして説明するが、オートクリア解除キーを表示部９に表示させるようにしてもよい。逆に、オートクリア前の設定の削除を指示するための実行キー６１は表示部９に表示されるものとしたが、ハードキーとして配置するようにしてもよい。
【００５２】
〔第２の実施の形態〕
第１の実施の形態では、オートクリア実行後に表示部９に選択画面５２が表示されて、オートクリア実行前の設定に戻すか、又はオートクリア実行前に設定された設定をユーザ設定記憶部７２１から削除するかをユーザが選択可能な場合について説明した。第２の実施の形態では、画像形成装置１がユーザ設定に基づいてジョブを実行した後に、表示部９に選択画面が表示されて、ユーザ設定記憶部７２１に記憶された設定を削除するか否かをユーザが選択可能な場合について説明する。尚、本実施の形態における画像形成装置１の内部構成及び電気的構成は図１及び２で示したものと同じであるため説明を省略する。
【００５３】
図７は、本実施の形態におけるユーザ設定削除処理の流れを示したフローチャートである。ユーザによるスタートキー７の押下によって制御部７１は指定されたジョブを実行する（ステップＳ２１）。ユーザが入力操作部６を介してジョブの動作設定を行っていた場合（ステップＳ２２；ＹＥＳ）、制御部７１はその設定内容をユーザ設定記憶部７２１に記憶させる（ステップＳ２３）。
【００５４】
そして、表示制御部７１１は、ユーザ設定を削除するか否かの選択画面を表示部９に表示させる（ステップＳ２４）。図８は、ステップＳ２４において表示部９に表示される選択画面５３の一例を示した図である。選択画面５３は、ジョブ実行後に表示されるものであり、ユーザはユーザ設定を削除したいときは実行キー６４を押下し、ユーザ設定を削除しない場合はキャンセルキー６５を押下する。
【００５５】
ユーザが実行キー６４を押下すると（ステップＳ２５；ＹＥＳ）、ユーザ設定削除部７１３はユーザ設定記憶部７２１に記憶されている設定を削除する（ステップＳ２６）。この処理により、ユーザ設定記憶部７２１はユーザ設定を記憶していないことになるから、ユーザがオートクリア解除キー１１を押下してもオートクリア実行前の設定に戻ることがない。
【００５６】
以上、説明したように、ジョブ実行後に表示される選択画面５３において、ユーザ設定を削除する指示入力をすることで、ユーザ設定削除部７１３がユーザ設定記憶部７２１の内容を削除するため、別のユーザがオートクリア解除キー１１を押下してもオートクリア実行前の設定に戻ることがない。従って、自分が行った動作設定を他人に知られることがなく、プライバシーを守ることができる。
【００５７】
〔第３の実施の形態〕
第３の実施の形態では、ユーザ設定記憶部７２１に記憶されたユーザ設定の内容を削除するか否かをユーザが初期設定画面（システムメニュー画面）で予め設定可能な方法について説明する。尚、第３の実施の形態における画像形成装置１の内部構成及び電気的構成は図１及び２で示したものであるため説明を省略する。
【００５８】
図９は、表示部９に表示される初期設定画面５４の一例を示した図である。設定画面５４は複数ある初期設定画面の一部であり、その他の初期設定画面ではスキャン設定、送信設定等、画像形成装置１の動作全般に関わるシステム設定を行うことができる。尚、設定画面５４による画像形成装置１のシステム設定は、何れのユーザでも任意に設定可能であってもよいし、設定権限のあるユーザのみが設定可能であってもよい。
【００５９】
設定画面５４には、「メモリに記憶されたユーザ設定を削除する」というメッセージと共に、削除するか否かを選択するためにラジオボタン６４が表示される。ユーザは、ユーザ設定記憶部７２１の内容を削除しない場合はラジオボタン６４にチェックマークを入力せずにＯＫキー６７を押下する。
【００６０】
一方、ユーザ設定記憶部７２１の内容を削除したい場合、ユーザはラジオボタン６６にチェックマークを入力する。そして、ユーザはＯＫキー６７を押下する。このＯＫキー６７の押下信号を受けて、ユーザ設定削除部７１３は、ユーザ設定記憶部７２１にユーザ設定が記憶されると、この設定を削除するモードとなる。つまり、ユーザがオートクリア解除キー１１を押下しても、ユーザ設定記憶部７２１はユーザ設定を記憶していないため、オートクリア実行前の設定に戻ることがない。
【００６１】
以上、説明したように、ユーザ設定をユーザ設定記憶部７２１に記憶されてもユーザ設定削除部７１３がその設定を削除する旨を設定画面５４において設定することで、別のユーザがオートクリア解除キー１１を押下してもオートクリア実行前の設定に戻ることがない。従って、自分が行った動作設定を他人に知られることがなく、プライバシーを守ることができる。
【００６２】
尚、設定画面５４において、ユーザ設定記憶部７２１に記憶されたユーザ設定を削除する設定とした場合、ユーザ設定削除部７１３はユーザ設定記憶部７２１にユーザ設定が記憶されるとこの設定を削除することとしたが、制御部７１が最初からユーザ設定をユーザ設定記憶部７２１に記憶させないようにしてもよい。
【００６３】
〔第４の実施の形態〕
第３の実施の形態では、ユーザ設定記憶部７２１に記憶されたユーザ設定をユーザ設定削除部７１３が削除するか否かを設定画面５３で予め設定可能な方法について説明した。第４の実施の形態では、動作設定の項目別に削除するか否かを初期設定画面において設定可能な方法について説明する。尚、第４の実施の形態における画像形成装置１の内部構成及び電気的構成は図１及び２で示したものであるため説明を省略する。
【００６４】
図１０は、表示部９に表示される設定画面５５の一例を示した図である。設定画面５５には、「メモリに記憶されたユーザ設定を削除する」というメッセージと共に、削除するか否かを入力するためにラジオボタン６６が表示される。更に、設定画面５５には項目別に削除設定を行うために、項目毎のラジオボタンが表示される。
【００６５】
ユーザは、ユーザ設定記憶部７２１の内容を削除しない場合はラジオボタン６６にチェックマークを入力せずに、ＯＫキー６７を押下する。
【００６６】
一方、ユーザ設定記憶部７２１の内容を削除したい場合、ユーザはラジオボタン６６にチェックマークを入力する。更に、項目別に削除するか否かを設定する場合は、各項目のラジオボタンにチェックを入力する。例えば、全ての設定内容を削除したい場合はラジオボタン６８、コピー枚数を削除したい場合はラジオボタン６９、送信先を削除したい場合はラジオボタン８０にチェックを入力する。図１０の場合、ラジオボタン６９及び８０にチェックが入力されており、この状態でユーザがＯＫキー６７を押下すると、ユーザ設定削除部７１３は、ユーザ設定記憶部７２１にユーザ設定が記憶されると、コピー枚数及び送信先の項目を削除するモードとなる。従って、ユーザがオートクリア解除キー１１を押下すると、制御部７１はコピー枚数と送信先は標準設定とし（例えば、コピー枚数は１枚、送信先は未設定とする）、その他の項目についてはオートクリア実行前の設定に戻す。
【００６７】
以上、説明したように、ユーザ設定がユーザ設定記憶部７２１に記憶されても、設定画面５５において設定された内容に基づいてユーザ設定削除部７１３が記憶された動作設定を項目別に削除することで、他人がオートクリア解除キー１１を押下してもその項目についてはオートクリア実行前の設定内容が表示されないため、プライバシーを守ることができる。
【００６８】
尚、設定画面５５において、ユーザ設定記憶部７２１に記憶されたユーザ設定を削除する設定を項目毎に行った場合、ユーザ設定削除部７１３は、ユーザ設定記憶部７２１にユーザ設定が記憶されると、設定画面５５において設定された項目をユーザ設定記憶部７２１から削除することとしたが、制御部７１が削除設定された項目を最初からユーザ設定記憶部７２１に記憶させないようにしてもよい。
【符号の説明】
【００６９】
１      画像形成装置
１３    スキャナ部（読取手段）
２１    画像形成部（画像形成手段）
５      原稿搬送部
６      入力操作部（動作設定受付手段、オートクリア解除受付手段、削除指示受付手段、削除可否受付手段）
７１    制御部（実行手段）
７１１  表示制御部（表示制御手段）
７１２  オートクリア実行部（オートクリア実行手段）
７１３  ユーザ設定削除部（削除手段）
７２    記憶部
７２１  ユーザ設定記憶部（ユーザ設定記憶手段）
７３    画像メモリ
７４    画像処理部
７５    ネットワークＩ／Ｆ部
【図１】
2011109388.tif 000003
【図２】
2011109388.tif 000004
【図３】
2011109388.tif 000005
【図４】
2011109388.tif 000006
【図５】
2011109388.tif 000007
【図６】
2011109388.tif 000008
【図７】
2011109388.tif 000009
【図８】
2011109388.tif 000010
【図９】
2011109388.tif 000011
【図１０】
2011109388.tif 000012